(57)【要約】空調機は、フィルタとフィルタが捕集した塵埃を除去する清掃機構と清掃機構の駆動を制御する制御部とを備え、制御部による清掃機構の駆動のモードは、清掃機構を前回駆動した時点から所定の累積時間に達した場合、空調運転の終了後に清掃機構の駆動を開始する併用清掃モードと、連続して行われた空調運転の運転時間が所定の連続運転時間に達した場合、空調運転を中断し清掃機構の駆動を開始する強制清掃モードとを含み、清掃機構の駆動を制限する所定の制限時間帯が設定してあり、制御部は、併用清掃モードの開始時刻が制限時間帯に含まれる場合、清掃機構の駆動を開始せず、強制清掃モードの開始時刻が制限時間帯に含まれる場合であっても清掃機構の駆動を開始する。
2019077769.tif 000002
【特許請求の範囲】
【請求項１】
吸い込み空気の塵埃を捕集するフィルタと、
該フィルタが捕集した塵埃を除去する清掃機構と、
該清掃機構の駆動を制御する制御部と
を備えた空調機において、
前記制御部による前記清掃機構の駆動のモードは、前記清掃機構を前回駆動した時点から所定の累積時間に達した場合、空調運転の終了後に前記清掃機構の駆動を開始する併用清掃モードと、連続して行われた空調運転の運転時間が所定の連続運転時間に達した場合、空調運転を中断し前記清掃機構の駆動を開始する強制清掃モードとを含み、
前記清掃機構の駆動を制限する所定の制限時間帯が設定してあり、
前記制御部は、前記併用清掃モードの開始時刻が、前記制限時間帯に含まれる場合は、前記清掃機構の駆動を開始せず、前記強制清掃モードの開始時刻が、前記制限時間帯に含まれる場合であっても、前記清掃機構の駆動を開始する
ことを特徴とする空調機。
【請求項２】
前記併用清掃モードの前記累積時間は、前記強制清掃モードの前記連続運転時間以上である
ことを特徴する請求項１に記載の空調機。
【請求項３】
前記制御部は、
前記強制清掃モードの開始時刻が前記制限時間帯に含まれる場合は、前記制限時間帯の間は空調運転を継続し、前記制限時間帯が終了した後、空調運転を中断し前記清掃機構の駆動を開始する
ことを特徴する請求項１又は請求項２に記載の空調機。
【請求項４】
前記制御部は、
前記強制清掃モードによる前記清掃機構の駆動を行う場合、空調運転を中断して前記清掃機構の駆動を開始し、該清掃機構の駆動の終了後、中断時での空調運転の運転態様にて空調運転を再開する
ことを特徴する請求項１から請求項３のいずれか一つに記載の空調機。
【請求項５】
前記制御部による前記清掃機構の駆動のモードは、前記清掃機構を前回駆動した時点から自機の起動回数が所定回数に達した場合、前記清掃機構の駆動を開始する第２強制清掃モードを含み、
前記制御部は、前記第２強制清掃モードの開始時刻が、前記制限時間帯に含まれる場合であっても、前記清掃機構の駆動を開始する
ことを特徴とする請求項１から請求項４のいずれか一つに記載の空調機。
【請求項６】
室内機に設けられ輝度の変更が可能な表示部を備え、
前記制限時間帯は、前記表示部の輝度に応じて設定されるようにしてある
ことを特徴とする請求項１から請求項５のいずれか一つに記載の空調機。
【請求項７】
前記表示部が所定の輝度以下で表示又は消灯している時間帯を、前記制限時間帯とする
ことを特徴とする請求項６に記載の空調機。
【発明の詳細な説明】
【技術分野】
【０００１】
本発明は、空調機に関する。
【背景技術】
【０００２】
空調機は、空調運転を行うにあたり、空調機の室内機に設けられた室内ファンが回転し、被空調空間の空気を吸い込み、熱交換器により空気調和された空気を、被空調空間に吹き出すようにしてある。室内機にはフィルタが設けられており、フィルタには、吸い込んだ空気の塵埃が付着され、吹き出し空気の清浄度を維持するようにしてある。付着した塵埃を放置しておくと、フィルタに目詰まりが発生し、通風抵抗が増加し、空調機の能力が低下する。これに対し、特許文献１の空調機は、室内機のフィルタを清掃するフィルタ清掃手段及びこのフィルタ清掃手段を制御する制御手段を有している。【０００３】
特許文献１の空調機は、空調機が運転している時間を積算し当該積算運転時間が所定時間に達した時点でフィルタ清掃手段を駆動しフィルタ清掃を行う制御を有している。このフィルタ清掃手段は、積算運転時間が所定時間に達した場合、これ以降に空調機の運転が停止した後にフィルタ清掃の駆動が開始されるようにしてある。
【先行技術文献】
【特許文献】
【０００４】
【特許文献１】特開２０１０−１９５４９号公報
【発明の概要】
【発明が解決しようとする課題】
【０００５】
しかしながら、特許文献１の空調機のフィルタ清掃手段は、フィルタ清掃が開始される時刻に関する制限はないため、所定時間に達した場合、これ以降に空調機の運転が停止した時刻が、深夜等の一般的に利用者が就寝中の時間帯であっても、フィルタ清掃手段の駆動が開始される。フィルタ清掃手段の駆動は、音の発生を伴うものであるため、空調機の利用者に不快感を生じさせるという問題点がある。【０００６】
本発明は、斯かる事情に鑑みてなされたものであり、フィルタ清掃手段の駆動を開始する必要が発生した場合であっても、空調機の利用者に不快感を生じさせることを抑制することができる空調機を提供することを目的とする。
【課題を解決するための手段】
【０００７】
本発明に係る空調機は、吸い込み空気の塵埃を捕集するフィルタと、該フィルタが捕集した塵埃を除去する清掃機構と、該清掃機構の駆動を制御する制御部とを備えた空調機において、前記制御部による前記清掃機構の駆動のモードは、前記清掃機構を前回駆動した時点から所定の累積時間に達した場合、空調運転の終了後に前記清掃機構の駆動を開始する併用清掃モードと、連続して行われた空調運転の運転時間が所定の連続運転時間に達した場合、空調運転を中断し前記清掃機構の駆動を開始する強制清掃モードとを含み、前記清掃機構の駆動を制限する所定の制限時間帯が設定してあり、前記制御部は、前記併用清掃モードの開始時刻が、前記制限時間帯に含まれる場合は、前記清掃機構の駆動を開始せず、前記強制清掃モードの開始時刻が、前記制限時間帯に含まれる場合であっても、前記清掃機構の駆動を開始することを特徴とする。
【発明の効果】
【０００８】
本発明によれば、フィルタ清掃手段の駆動を開始する必要が発生した場合であっても、空調機の利用者に不快感を生じさせることを抑制することができる空調機を提供することが可能となる。
【図面の簡単な説明】
【０００９】
【図１】実施形態１に係る空調機の構成を示す模式図である。
【図２】実施形態１に係る空調機の構成を示すブロック図である。
【図３】清掃機構の一構成例を示す模式図である。
【図４】清掃機構の駆動のモードの一例を示す説明図である。
【図５】実施形態１（制限時間帯での制御全般）に係る処理手順を示すフローチャートである。
【図６】実施形態２（強制清掃モード）に係る処理手順を示すフローチャートである。
【図７】実施形態３（超強制清掃モード）に係る処理手順を示すフローチャートである。
【図８】実施形態４（表示部との連動）に係る処理手順を示すフローチャートである。
【発明を実施するための形態】
【００１０】
（実施形態１）
以下、本発明をその実施形態を示す図面に基づいて詳述する。図１は、実施形態１に係る空調機１の構成を示す模式図である。図２は、実施形態１に係る空調機１の構成を示すブロック図である。実施形態１に係る空調機１は、室外機２、室内機３、該室外機２と該室内機３とを接続し冷媒が循環する冷媒回路を構成するための冷媒配管１０、及び空調機１の運転操作を行うリモコン４を備える。このように、空調機１は室内機３と室外機２とからなるセパレート型空調機である。
【００１１】
室外機２は、Ｒ３２等の冷媒を圧縮する圧縮機２１、圧縮機２１の吐出管と接続され冷媒の経路を切り換える四路切換弁２３、外気と熱交換を行う室外熱交換器２４、冷媒を減圧する膨張弁２５、圧縮機２１の吸入管と接続され冷媒の気液分離を行うアキュムレータ２２、及び室外熱交換器２４に外気を送風する室外ファン２６を備える。四路切換弁２３を切り換えることによって、冷房運転及び暖房運転が行われる。
【００１２】
室外機２は、室外制御基板２７を備え、室外制御基板２７は、圧縮機２１、室外ファン２６、四路切換弁２３及び膨張弁２５と電気的に接続してあり、圧縮機２１、室外ファン２６、四路切換弁２３及び膨張弁２５の駆動制御及び駆動状態の検知を行う。室外制御基板２７には、例えば、外気温度センサ２４１、吸入温度センサ２１１及び吐出温度センサ２１２等の各種センサが電気的に接続されており、各種センサが検知し出力した値を取得する。また、室外制御基板２７は、後述する室内制御基板３６と通信可能に接続してあり、室内制御基板３６と協働して、空調機１の全体の制御を行う。
【００１３】
室内機３は、室内の空気と熱交換を行う室内熱交換器３１、室内熱交換器３１に室内の空気を送風する室内ファン３４、室内熱交換器３１に送風される空気の塵埃を捕集するフィルタ３７、及び室内ファン３４で送風した空気の吹き出し方向を定める風向板３５を備える。室内ファン３４は、例えばＤＣモータによって回転駆動するクロスフローファンである。なお、室内ファン３４は、プロペラファン、ターボファン又はシロッコファンであってもよい。室内熱交換器３１は、クロスフィン式のフィン・アンド・チューブ型熱交換器であって、フィン及びフィンを貫通して設けられた伝熱管を備える。風向板３５は、矩形板状をなし、両端部が、例えばステッピングモータに連結された回転軸によって回転自在となるように設けられている。フィルタ３７は、樹脂製の格子状の矩形枠体にメッシュが設けられて構成してある。フィルタ３７は、室内熱交換器３１に対し、室内ファン３４によって送風される空気の上流側に設けられている。
【００１４】
図３は、清掃機構３８の一構成例を示す模式図である。室内機３は、更に清掃機構３８を備える。清掃機構３８は、フィルタ３７の塵埃を除去する回転ブラシ３８１、回転ブラシ３８１が除去した塵埃を集塵する集塵箱３８３、及び回転ブラシ３８１とフィルタ３７とを相対移動させるフィルタ移動部３８２を備える。回転ブラシ３８１は、モータによって回転駆動される回転体を有し、回転体の表面に設けられたブラシ部の先端が、長手方向に亘ってフィルタ３７に当接するようにしてある。集塵箱３８３は、開口をなす箱体であり、開口を回転ブラシ３８１に向けて配されている。フィルタ移動部３８２は、フィルタ案内ガイド及びフィルタ移動用モータを有し、フィルタ移動用モータを駆動することによって、フィルタ案内ガイドに両端が嵌め込まれたフィルタ３７を、回転ブラシ３８１に対し往復移動させるように構成されている。
【００１５】
清掃機構３８は、後述する制御部５０と電気的に接続されており、制御部５０から制御信号に基づき、回転ブラシ３８１及びフィルタ移動部３８２を駆動して、清掃を行う。回転ブラシ３８１が回転することにより、ブラシ部が当接しているフィルタ３７の部分に捕集された塵埃は、掻き落とされ、集塵箱３８３に集塵される。フィルタ移動部３８２によって、フィルタ３７は回転ブラシ３８１に対し往復移動し、フィルタ３７の略全領域がブラシ部と当接することによって、フィルタ３７が捕集した略全ての塵埃は、掻き落とされ、集塵箱３８３に集塵される。集塵箱３８３は、室内機３の前面パネルを外すことによって、室内機３から着脱可能に取り付けられてあり、集塵箱３８３が集塵した塵埃を容易に廃棄することができる。
【００１６】
室内機３は、表示部３９を備える。表示部３９は、ＬＥＤ等の光源を備え、例えば、液晶ディスプレイによるフルドット表示、又は７セグ表示によって文字、図形又は色彩模様を表示できるようにしてある。表示部３９は、室内ファン３４によって送風される空気を吹き出すための吹き出し口の近傍に設けられてあり、文字等を表示することによって、空調機１の操作者に対し、空調機１の運転モード、吸込空気温度センサ３２が検知した室内温度等を報知する。表示部３９は、後述する制御部５０と電気的に接続されており、制御部５０から出力された制御信号に基づいて、光源を点灯又は点滅させ所定の文字等を表示、及び非表示（消灯）する共に、光源の輝度を調整可能に構成されている。
【００１７】
室内機３は、室内制御基板３６を備え、室内制御基板３６は、室内ファン３４、風向板３５、清掃機構３８及び表示部３９と電気的に接続してあり、室内ファン３４、風向板３５、清掃機構３８及び表示部３９の駆動制御及び駆動状態の検知を行う。室内制御基板３６は、例えば、室内熱交換器温度センサ３１１、吸込空気温度センサ３２及び吸込空気湿度センサ３３等の各種センサと電気的に接続してあり、夫々のセンサが検知し出力した値を取得する。室内制御基板３６は、リモコン４からの空調機１の運転操作を受け付ける受付部と電気的に接続してあり、受け付けた運転操作に関する情報に基づいて、室外制御基板２７と通信を行い、空調機１の制御を行う。
【００１８】
リモコン４は、受付部を介して室内機３と通信可能に接続してあり、入力部、表示部、リモコン内基板４１を備える。リモコン４は、空調機１を操作するための専用機器に限定されず、例えば、空調機１を操作するためのアプリケーションがインストールされたスマートホン、パーソナルコンピュータ等の汎用機器を含む。
【００１９】
空調機１は、空調運転を行うための種々の制御を行う制御部５０、及び当該制御を行うために必要なプログラム５１Ｐとデータを記憶する記憶部５１を備える。制御部５０は、ＣＰＵ（Central Processing Unit）又はＭＰＵ（Micro Processing Unit）等により構成してあり、記憶部５１に予め記憶されたプログラム５１Ｐ及びデータを読み出して実行することにより、種々の制御処理及び演算処理等を行う。制御部５０は、内蔵されているクロック等又は通信可能に接続してある時計部（図示せず）と連携することにより、計時機能を有する。ＣＰＵ等は、室外制御基板２７、室内制御基板３６又はリモコン４内制御基板のいずれかの基板上に実装してある。又は、夫々の基板に実装されているＣＰＵ等が相互に通信し協働して、制御部５０として機能するように構成してあってもよい。又は、制御部５０は、図示しない外部ネットワークに、空調機１と通信可能に接続された制御サーバ上に実装してあってもよい。  図２に示すごとく、制御部５０は、吸込空気温度センサ３２等の各種センサと接続し、各種センサからの出力結果を取得する共に、圧縮機２１、室内ファン３４、清掃機構３８及び表示部３９等の各種アクチュエータと電気的に接続してあり、各種アクチュエータの駆動制御、及び駆動状態の検知を行う。
【００２０】
記憶部５１は、ＲＯＭ（Read Only Memory）、ＥＥＰＲＯＭ（Electrically Erasable Programmable ROM）又はフラッシュメモリ等の不揮発性のメモリ素子、及びＲＡＭ等の揮発性のメモリ素子により構成してあり、ＣＰＵ等と同様に室外制御基板２７、室内制御基板３６又はリモコン４内制御基板のいずれかの基板上に実装してある。
【００２１】
図４は、清掃機構３８の駆動のモードの一例を示す説明図である。制御部５０が清掃機構３８の駆動制御を行うにあたり、複数の駆動のモードが設定されている。複数の駆動のモードは、図３に示すごとく、例えば、併用清掃モード、強制清掃モード、超強制清掃モード（第２強制清掃モード）、及び都度清掃モードを含む。
【００２２】
併用清掃モードは、清掃機構３８を前回駆動した時点、すなわち前回清掃した時点から、所定の累積時間に達した場合、実行される清掃モードである。制御部５０は、いずれかの清掃モードで清掃を行った場合、当該清掃を行った時点（時刻）を、記憶部５１に記憶するようにしてある。制御部５０は、空調運転を開始した後、前回清掃した時点から例えば２４時間の累積時間が経過した場合、この空調運転を停止した後に、清掃機構３８を駆動し、清掃を行う。併用清掃モードは空調運転を停止した後に清掃を行うため、操作者による空調機１の運転に影響を与えることを回避することができる。空調運転の停止は、リモコン４の停止ボタンの押下、切りタイマの設定又はスケジュール設定による停止等によって行われる。累積時間とは、例えば、空調運転を行っている時間及び行っていない時間を含む経過時間である。経過時間、すなわち現時刻から前回清掃を行った時点（時刻）を減算した時間を累積時間とすることで、簡易な判定条件で制御することができる。また、空調運転を行っていない時間、すなわち室内ファン３４が停止している時間をも含めることによって、空調機１が停止している間に、塵埃がフィルタ３７に自然堆積した場合であっても、確実にフィルタ３７を清掃することができる。累積時間は、空調運転を行っている時間を積算した積算運転時間としてもよい。累積時間を当該積算運転時間とすることで、併用清掃モードによって清掃が行われる頻度を低減することができる。経過時間及び積算運転時間を含む所定の累積時間は、例えば２４時間とすることができ、当該所定の累積時間の値は、記憶部５１に記憶してある。累積時間の値は、リモコン４又はアプリケーションがインストールされたスマートホン等より、操作者の操作によって入力及び変更が可能なようにしてあってもよい。
【００２３】
強制清掃モードは、連続して行われた空調運転の運転時間が、所定の連続運転時間に達した場合、実行される清掃モードである。制御部５０は、空調機１が起動され空調運転を開始するにあたり、運転時間を初期化、すなわち０時間として設定する。制御部５０は、連続して空調運転を行っている時間を積算し、積算した運転時間が、例えば２３時間等の所定の連続運転時間に達した場合、空調運転を中断して、清掃機構３８を駆動、すなわち清掃を開始する。空調運転は、冷房運転、暖房運転及び送風運転等の室内ファン３４が駆動する運転を含む。また、空調運転は、デフロスト運転又はサーモオフ状態を含むものであってもよい。なお、サーモオフ状態とは、被空調空間である室内の温度が、空調運転を行うにあたり、目標温度としてリモコン４等で設定された設定温度又は当該設定温度にオフセット値が加減算された温度に到達することによって、圧縮機２１の駆動を停止した状態であることは、言うまでもない。制御部５０は、清掃を終了した後、中断した時点での空調運転の運転態様にて、空調運転を再開する。制御部５０は、清掃を終了した後、空調運転を再開するにあたり、上述の運転時間を再度、初期化して、次回に行われるべき強制清掃モードにむけて、運転時間の積算を再開する。連続して空調運転を行っている時間を積算した運転時間が、所定の連続運転時間に達した場合、清掃を開始することで、簡易な判定条件で効率的に清掃を行うことができる。
【００２４】
所定の連続運転時間は、例えば２３時間とすることができ、当該所定の連続運転時間の値は、記憶部５１に記憶してあり、累積時間と同様に操作者の操作によって入力及び変更が可能なようにしてあってもよい。強制清掃モードの所定の連続運転時間は、併用清掃モードの所定の累積時間以下であることが望ましい。所定の連続運転時間を、所定の累積時間以下とすることで、連続して行われた空調運転の運転時間が所定の連続運転時間に達し、強制清掃モードの清掃が行われた後、この空調運転が停止された場合、併用清掃モードによる清掃が行われることを回避することができる。従って、操作者によって併用清掃モードを停止させる煩わしさを削減することができる。
【００２５】
超強制清掃モード（第２強制清掃モード）は、清掃機構３８を前回駆動した時点、すなわち前回清掃した時点から、空調機１の起動回数が所定回数に達した場合、実行される清掃モードである。制御部５０は、いずれかの清掃モードで清掃を行った場合、空調機１の起動回数を初期化、すなわち０として設定する。制御部５０は、空調機１が起動又は停止される都度、当該起動回数をインクリメント処理、すなわち１を加算して、起動回数をカウントするようにし、記憶部５１に当該起動回数を記憶する。制御部５０は、前回清掃した時点から、例えば１０回等の所定回数に、起動回数が達した場合、空調運転が停止された後に、清掃機構３８を駆動し、清掃を行う。なお、超強制精度モードによる清掃は、空調運転が停止された後に行われる場合に限定されず、空調機１を起動した後、空調運転を開始する前に行ってもよい。又は、超強制精度モードによる清掃は、空調機１を起動し空調運転を開始することによって、サーモオフ状態となったタイミングに合わせて、行ってもよい。
【００２６】
制御部５０は、超強制清掃モードのみならず、他の清掃モードによって清掃機構３８を駆動、すなわち清掃を行った場合、空調機１の起動回数を初期化し、次回に行われるべき超強制清掃モードにむけて、起動回数のカウントをおこなう。前述した併用清掃モード又は強制清掃モードのように累積時間又は連続運転時間等の時間に基づいた清掃機構３８の制御に加え、空調機１の起動回数に基づいた制御を併用することで、効率的にフィルタ３７の塵埃を除去することができる。また、後述する制限時間帯により併用清掃モードが行われない状態が継続した場合であっても、空調機１の起動回数に基づいた超強制精度モードによって、確実にフィルタ３７の塵埃を除去することができる。所定回数は、例えば１０回とすることができ、当該所定回数の値は、記憶部５１に記憶してあり、累積時間と同様に操作者の操作によって入力及び変更が可能なようにしてあってもよい。
【００２７】
都度清掃モードは、操作者によるリモコン４の所定の操作、又はスケジュール機能によって予め設定された時刻となった場合、実行される清掃モードである。操作者によるリモコン４操作又はスケジュール機能の設定によって、清掃機構３８の駆動することで、操作者の意図に沿った清掃を行うことができる。
【００２８】
各清掃モード夫々は、ブラシ回転速度、フィルタ移動速度及びフィルタ移動距離等の清掃機構３８の駆動態様を設定することができようにしてあってもよい。ブラシ回転速度を早くすることで、単位時間あたりの塵埃の除去量を増加することができるが、発生する音は大きくなる。フィルタ移動速度を遅くすることで、単位時間あたりの所定のフィルタ３７領域における塵埃の除去量を増加することができるが、清掃に要する時間は長くなる。フィルタ移動距離、すなわちフィルタ３７の往復回数を増加すると塵埃の除去量を増加することができるが、清掃に要する時間は長くなる。
【００２９】
図４に示すごとく、都度清掃モードは、他の清掃モードよりも、ブラシ回転速度を早くし、フィルタ移動速度を遅くし、フィルタ移動距離を長くしてもよい。都度清掃モードは、操作者の意図に従って、清掃されるモードであるため、清掃に要する時間が長くなったとしても、確実に塵埃を除去することを優先することができる。
【００３０】
併用清掃モード及び強制清掃モードにおいては、ブラシ回転速度、フィルタ移動速度及びフィルタ移動距離を同様の態様とし、他の清掃モードよりも、ブラシ回転速度を遅くし、フィルタ移動速度を早くし、フィルタ移動距離を短くしてもよい。このような清掃機構３８の駆動態様とすることで、発生する音を小さくし、清掃に要する時間を短くすることができる。
【００３１】
超強制清掃モードの清掃機構３８の駆動態様は、都度清掃モードと、併用清掃モード及び強制清掃モードとの中間に位置するように設定してあってもよい。超強制清掃モードが開始される場合は、フィルタ３７に捕集された塵埃が多い傾向となることが想定されるところ、併用清掃モード及び強制清掃モードよりも、ブラシ回転速度を早くし、フィルタ移動速度を遅くし、フィルタ移動距離を長くすることで、確実に塵埃を除去することができる。
【００３２】
制御部５０が清掃機構３８の駆動制御を行うにあたり、清掃機構３８の駆動の制限をするための制限時間帯が設定されている。制限時間帯は、例えば午前１時から午前５時とする時間帯とし、また一週間において月曜日から金曜日の当該時間帯とすることで、特定の曜日の時間帯として設定することができる。制限時間帯は、記憶部５１に記憶してあり、累積時間と同様に操作者の操作によって入力及び変更が可能なようにしてあってもよい。
【００３３】
図４に示すごとく、清掃モード夫々には、制限時間帯による制限の有無が設定されている。併用清掃モードは、併用清掃モードによる清掃の開始時刻が制限時間帯に含まれる場合、清掃機構３８の駆動を開始しないように設定されている。制限時間帯は、操作者の就寝時間に合わせて設定されている場合が多いところ、併用清掃モードの開始時刻が制限時間帯に含まれる場合、清掃機構３８の駆動を開始しないことによって、操作者の安眠を妨げることを回避することができる。
【００３４】
強制清掃モードは、強制清掃モードによる清掃の開始時刻が制限時間帯に含まれる場合、制限時間帯が終了するまで空調運転を継続し、制限時間帯が終了した後に、空調運転を中断し、清掃機構３８の駆動を開始する。制限時間帯は、操作者の就寝時間に合わせて設定されている場合が多いところ、制限時間帯が終了した後に、清掃機構３８の駆動をすることによって、操作者の安眠を妨げることを回避することができる。なお、強制清掃モード開始時刻が制限時間帯に含まれる場合、制限時間帯の終了を待つことなく、空調運転を中断し、清掃機構３８の駆動を開始してもよい。併用清掃モードの開始時刻が制限時間帯に含まれる状態が継続し、併用清掃モードによる清掃が行われない場合が継続した場合であっても、強制清掃モードによって確実に清掃することができる。
【００３５】
超強制清掃モードは、超強制清掃モードによる清掃の開始時刻が制限時間帯に含まれる場合であっても、清掃機構３８の駆動を開始する。日々の空調運転において、強制清掃モードが開始される連続運転時間に達することなく、空調機１の起動及び停止が繰り返され、かつ併用清掃モードの開始時刻が制限時間帯に含まれる場合が連続すると、強制清掃モード及び併用清掃モードによる清掃機構３８の駆動が行われないものとなる。これに対し、空調機１の起動回数が所定回数に達した場合、清掃機構３８の駆動を開始する超強制清掃モードを備えることによって、定期的にフィルタ３７の清掃を行うことができる。
【００３６】
制限時間帯は、所定の時間帯又は曜日等と組み合わせることによって、設定するものとしたがこれに限定されない。制御部５０は、表示部３９の輝度に応じて制限時間帯を設定することができる。制御部５０は、表示部３９の点灯、点滅及び消灯を行う。制御部５０は、表示部３９の点灯するにあたり、表示部３９の輝度を変更する。表示部３９の輝度は、操作者によるリモコン４の所定の操作によって設定されるようにしてある。又は、表示部３９の輝度は、空調運転の態様と連動して、当該輝度が変更されるようにしてある。表示部３９の輝度と連動する空調運転の態様とは、例えば、切りタイマが設定された場合、スケジュール設定により空調運転が停止されるまで２時間等の所定時間内となった場合、室内ファン３４の回転数を減少させ送風音を低減させる低風量運転、就寝している方に快眠を与えるために温湿度及び吹き出し方向が設定されたおやすみ運転等である。
【００３７】
制御部５０は、操作者によるリモコン４操作によって、又は所定の空調運転と連動して、表示部３９の輝度を所定値以下で点灯している場合、制限時間帯に含まれるとして、併用清掃モード及び強制清掃モードの清掃を制限するようにしてあってもよい。なお、表示部３９の輝度が所定値以下とは、例えば、最大輝度の略半分以下の輝度とすることができる。また、表示部３９の輝度が所定値以下とは、表示部３９を消灯されている状態を含むものであってもよい。制御部５０は、表示部３９の輝度に応じて制限時間帯を設定することによって、表示部３９の輝度に連動させて、例えば併用清掃モード及び強制清掃モードの清掃を制限することができる。また、表示部３９の輝度は、操作者のリモコン４による所定の操作、又は空調運転の態様に連動して当該輝度が変更されることによって、操作者の意図に応じて、制限時間帯を簡易に設定することができる。
【００３８】
図５は、実施形態１（制限時間帯での制御全般）に係る処理手順を示すフローチャートである。制御部５０による清掃機構３８の駆動制御に関する処理の流れについて、以下のとおりフローチャートを用いて説明する。制御部５０は、空調機１が起動され空調運転を開始する際、又は運転中において、常時的に以下の処理を実行する。
【００３９】
制御部５０は、運転時間を初期化して、空調運転を開始する（Ｓ１０１）。運転時間の初期化とは、例えば０時間であり、空調機１が起動された直後の運転時間を意味する。制御部５０は、初期化した運転時間を記憶部５１に記憶する。空調運転は、例えば暖房運転、冷房運転又は送風運転であり、これら空調運転に伴って、室内ファン３４が回転される。
【００４０】
制御部５０は、前回清掃の時刻（時点）、すなわち清掃機構３８を前回駆動した時刻を記憶部５１から読み出す（Ｓ１０２）。後述のごとく、制御部５０は、いずれかの清掃モードにより清掃機構３８を駆動、すなわち清掃した場合、当該清掃が終了した時刻を、記憶部５１に記憶してある。
【００４１】
制御部５０は、記憶部５１から読み出した前回清掃の時刻から、現在の時刻を減算することによって、前回清掃時からの経過時間となる累積時間を算出する（Ｓ１０３）。なお、累積時間は、経過時間に限定されず、制御部５０は、空調運転の開始時刻及び終了時刻に基づき運転時間を記憶部５１に記憶させ、前回清掃時から現在までの間における空調運転の運転時間の積算時間により導出するようにしてもよい。
【００４２】
制御部５０は、現時点の時刻からＳ１０１で運転時間を初期化した時点の時刻を減算することにより、運転時間を初期化した時点から現在までの運転時間を算出する（Ｓ１０４）。従って、算出された運転時間は、運転時間を初期化した時点から連続して空調運転が行われた時間を積算した時間である。この空調運転は、デフロスト運転又はサーモオフ状態等、冷房運転又は暖房運転を行うにあたり付随的に行われる運転又は状態を含むものとしてもよい。
【００４３】
制御部５０は、Ｓ１０５で算出した運転時間が、所定の連続運転時間に到達したか否かを判定する（Ｓ１０５）。所定の連続運転時間は、例えば２３時間であり、記憶部５１に記憶してある。制御部５０は、記憶部５１を参照して、所定の連続運転時間の値を読み出す。
【００４４】
所定の連続運転時間に到達した場合（Ｓ１０５：ＹＥＳ）、すなわち運転時間を初期化した時点から現在までの運転時間が、所定の連続運転時間以上である場合、制御部５０は、強制清掃モードによる清掃を実行すべく、空調運転を中断する（Ｓ１０６）。制御部５０は、空調運転を中断するあたり、中断時の空調運転の態様を記憶部５１に記憶する。空調運転の態様とは、例えば、暖房又は冷房等の運転モード、設定温度、室内ファン３４の回転数（送風量）及びフラップの角度を含む。
【００４５】
制御部５０は、強制清掃モードにて、清掃機構３８を駆動し、清掃を開始する（Ｓ１０７）。図４に示すごとく、強制清掃モードにおける回転ブラシ３８１及びフィルタ移動部３８２の駆動態様に基づき、清掃機構３８は駆動される。制御部５０は、清掃の開始に併せて、又は清掃の終了にあたりその時点での時刻を、清掃時刻として記憶部５１に記憶させる。
【００４６】
制御部５０は、清掃を終了した後、運転時間の初期化を行う（Ｓ１０８）。制御部５０は、空調運転を再開する（Ｓ１０９）。空調運転を再開するにあたり、制御部５０は、Ｓ１０６での中断時の空調運転の態様を記憶部５１から読み出し、当該態様にて、空調運転を再開する。制御部５０は、空調運転を再開した後、再度Ｓ１０２の処理を行うべく、ループ処理を行う。なお、再開時の空調運転の態様は、空調運転を中断する前と同じ態様である。
【００４７】
所定の連続運転時間に到達していない場合（Ｓ１０５：ＮＯ）、すなわち運転時間を初期化した時点から現在までの運転時間が、所定の連続運転時間未満である場合、制御部５０は、空調運転が終了されたか否かを判定する（Ｓ１２１）。空調運転は、例えば、操作者の停止ボタンの押下等のリモコン４操作、切りタイマ、又はスケジュール機能により、終了する。
【００４８】
空調運転が終了されていない場合（Ｓ１２１：ＮＯ）、すなわち空調運転が継続している場合、制御部５０は、再度Ｓ１０２の処理を行うべく、ループ処理を行う。
【００４９】
空調運転が終了された場合（Ｓ１２１：ＹＥＳ）、制御部５０は、現時点において、前回清掃した時点から所定の累積時間に到達したか否かを判定する（Ｓ１２２）。制御部５０は、現時点の時刻から、前回清掃した時点の時刻を減算した経過時間により累積時間を導出する。なお、当該時刻間での減算において、日を跨いでいる場合は、跨いでいる日数に応じて２４時間を加算することは、言うまでもない。累積時間は、経過時間に限定されず、制御部５０は、空調運転の開始時刻及び終了時刻に基づき運転時間を記憶部５１に記憶させ、前回清掃時から現在までの間における空調運転の運転時間の積算時間により、累積時間を導出するようにしてもよい。なお、所定の累積時間は、Ｓ１０５における所定の連続運転時間以上に設定してあることが望ましい。
【００５０】
所定の累積時間に到達していない場合（Ｓ１２２：ＮＯ）、制御部５０は、空調運転を終了すべく、空調機１を停止（Ｓ１２５）させる。
【００５１】
所定の累積時間に到達している場合（Ｓ１２２：ＹＥＳ）、制御部５０は、現時点の時刻が、制限時間帯内であるか否かの判定を行う（Ｓ１２３）。現時点の時刻が制限時間帯内である場合（Ｓ１２３：ＹＥＳ）、制御部５０は、併用清掃モードによる清掃を行うことなく、空調運転を終了すべく、空調機１を停止（Ｓ１２５）させる。
【００５２】
現時点の時刻が制限時間帯内でない場合（Ｓ１２３：ＮＯ）、制御部５０は、併用清掃モードにて、清掃機構３８を駆動して、清掃を開始する（Ｓ１２４）。図４に示すごとく、併用清掃モードにおける回転ブラシ３８１及びフィルタ移動部３８２の駆動態様に基づき、清掃機構３８は駆動される。制御部５０は、清掃の開始に併せて、又は清掃の終了にあたりその時点での時刻を、清掃時刻として記憶部５１に記憶させる。制御部５０は、清掃が終了した後、空調運転を終了すべく、空調機１を停止（Ｓ１２５）させる。
【００５３】
併用清掃モードと強制清掃モードとを組み合わせことにより、効率的にフィルタ３７が捕集した塵埃を除去することができる。併用清掃モードの開始時刻が制限時間帯内である場合は、併用清掃モードによる清掃を開始しない制御とすることで、制限時間帯内が操作者の就寝時間に対応して設定されている場合に、操作者に対し不快感を生じさせることを抑制することができる。
【００５４】
併用清掃モードの所定の累積時間を、強制清掃モードの所定の連続運転時間以上とすることで、強制清掃モードによる清掃が行われた後、空調運転が終了した場合は、併用清掃モードによる清掃が行われないため、過度に清掃が行われることを抑制することができる。制限時間帯であっても、強制清掃モードの所定の連続運転時間に到達した場合は、強制清掃モードによる清掃を行うことによって、フィルタ３７の目詰まりが進行し通風抵抗が増加して空調機１の能力が低減することを抑制することができる。
【００５５】
（実施形態２）
図６は、実施形態２（強制清掃モード）に係る処理手順を示すフローチャートである。実施形態２の制御部５０は、強制清掃モードによる清掃を開始するにあたり、制限時間帯内であるか否かの判定を行う点等で、実施形態１と異なる。Ｓ２０１からＳ２０５の処理、及びＳ２２１以降の処理は、実施形態１のＳ１０１からＳ１０５、及びＳ１２１以降の処理と同じ処理であるため、説明を省略する。
【００５６】
制御部５０は、実施形態１と同様に、所定の連続運転時間に到達したか否かの判定を行い（Ｓ２０５）、所定の連続運転時間に到達した場合（Ｓ２０５）は、現時刻が、制限時間帯内であるか否かの判定を行う（Ｓ２０５１）。制限時間帯は、記憶部５１に記憶してあり、制御部５０は、記憶部５１を参照して、制限時間帯を読み出す。
【００５７】
現時刻が、制限時間帯内である場合（Ｓ２０５１：ＹＥＳ）、制御部５０は、再度Ｓ２０５１を実行すべくループ処理を行う。すなわち、制御部５０は、制限時間帯が終了するまで待ち状態を維持する処理を行うものであってもよい。なお、制御部５０は、待ち状態を維持している間において、空調運転を継続していることは、言うまでもない。
【００５８】
現時刻が、制限時間帯内でない場合（Ｓ２０５１：ＮＯ）、制御部５０は、実施形態１と同様に強制清掃モードによる清掃を開始すべく、空調機１を中断し（Ｓ２０６）、清掃を開始し清掃時刻を記憶し（Ｓ２０７）、運転時間を初期化し（Ｓ２０８）、空調運転を再開する（Ｓ２０９）。
【００５９】
強制清掃モードを開始する時刻が制限時間帯内である場合は、空調運転を継続し、制限時間帯が終了した後、清掃を開始することで、制限時間帯内が操作者の就寝時間に対応して設定されている場合に、操作者に対し不快感を生じさせることを抑制しつつ、所定の連続運転に到達した場合は、確実にフィルタ３７に捕集された塵埃を除去することができる。
【００６０】
（実施形態３）
図７は、実施形態３（超強制清掃モード）に係る処理手順を示すフローチャートである。実施形態３の制御部５０は、清掃モードとして、更に超強制清掃モードによる清掃を行う点等で、実施形態１と異なる。Ｓ３０１からＳ３０７、Ｓ３０８からＳ３０９、及びＳ３２２からＳ３２４の処理は、実施形態１のＳ１０１からＳ１０７、Ｓ１０８からＳ１０９、及びＳ１２２からＳ１２４の処理と同じ処理であるため、説明を省略する。
【００６１】
制御部５０は、空調機１が起動された後、空調機１の起動回数をカウントする（Ｓ３００）。制御部５０は、カウントした起動回数を記憶部５１に記憶する。
【００６２】
制御部５０は、強制清掃モードによる清掃（Ｓ３０７）を行った後、及び併用清掃モードによる清掃（Ｓ３２４）を行った後、起動回数の初期化を行う（Ｓ３０７１,Ｓ３２４１）。
【００６３】
制御部５０は、空調運転が終了したか否かの判定を行い（Ｓ３２１）、空調運転が終了した場合は（Ｓ３２１：ＹＥＳ）、所定の起動回数に到達したか否かの判定を行う（Ｓ３２１１）。起動回数に到達していない場合（Ｓ３２１１：ＮＯ）、制御部５０は、実施形態１と同様に、Ｓ３２２以降の処理を行う。
【００６４】
起動回数に到達した場合（Ｓ３２１１：ＹＥＳ）、制御部５０は、超強制清掃モードにて、清掃機構３８を駆動して、清掃を開始する（Ｓ３２１２）。図４に示すごとく、超強制清掃モードにおける回転ブラシ３８１及びフィルタ移動部３８２の駆動態様に基づき、清掃機構３８は駆動される。制御部５０は、清掃の開始に併せて、又は清掃の終了にあたりその時点での時刻を、清掃時刻として記憶部５１に記憶させる。制御部５０は、起動回数を初期化する（Ｓ３２１３）。
【００６５】
空調機１の起動回数が所定回数に達した場合、清掃機構３８の駆動を開始する超強制清掃モードを備えることによって、定期的にフィルタ３７の清掃を行うことができる。従って、併用清掃モード又は強制清掃モードによって、清掃が行わない状態が継続した場合であっても、確実にフィルタ３７に捕集された塵埃を除去し、フィルタ３７の目詰まりが進行することを防止することができる。超強制清掃モードの開始時刻が、制限時間帯内であるか否かに関わらず、超強制清掃モードによる清掃を行うことによって、定期的にフィルタ３７の清掃を行うことができる。併用清掃モード又は強制清掃モードを含むいずれかの清掃モードによって清掃が行われた場合、空調機１の起動回数を初期化、すなわちリセットすることによって、過度に清掃が行われることを抑制することができ、清掃、すなわち清掃機構３８の駆動を伴う音によって、操作者に不快感を与えることを抑制することができる。
【００６６】
（実施形態４）
図８は、実施形態４（表示部との連動）に係る処理手順を示すフローチャートである。実施形態４の制御部５０は、制限時間帯を表示部３９による輝度と連動させて、清掃機構３８の駆動制御を行う点等で、実施形態１と異なる。Ｓ４０１からＳ４２２までの処理は、実施形態１のＳ１０１からＳ１２２までの処理を同じ処理であるため、説明を省略する。
【００６７】
制御部５０は、表示部３９の輝度が所定以下であるか否かの判定を行う（Ｓ４２３）。輝度が所定以下とは、例えば、表示部３９による最大輝度の半分以下の輝度であり、消灯された状態を含んでもよい。
【００６８】
表示部３９の輝度が所定以下である場合（Ｓ４２３：ＹＥＳ）、制御部５０は、現時点が制限時間帯内であるとみなして、併用清掃モードによる清掃を行うことなく、空調運転を終了すべく空調機１を停止する（Ｓ４２５）。
【００６９】
表示部３９の輝度が所定値より大きい場合（Ｓ４２３：ＮＯ）、制御部５０は、現時点が制限時間帯内でないとみなして、実施形態１と同様に併用清掃モードによる清掃（清掃機構３８の駆動）を行い、清掃時刻を記憶する（Ｓ４２４）。
【００７０】
表示部３９の輝度は、操作者のリモコン４操作又は空調運転の態様に基づいて変化するようにしてある。従って、表示部３９の輝度に対応させ、表示部３９の輝度が所定以下の場合は、現時点が制限時間帯内であるみなすことによって、簡易な操作で制限時間帯を設定することができる。また、操作者が表示部３９の輝度を視認することによって、現時点の時刻が、制限時間帯内であることを、操作者に容易に認識させることができる。
【００７１】
（変形例１）
実施形態１では、空調機１は、一つの室内機３を備える形態としてあるが、これに限定されない。空調機１は、複数の室内機３を備える室内マルチ型の空調機１を含む。室内マルチ型の空調機１は、室外機２と室内機３を接続する冷媒配管１０（連絡配管）が、室内機３の個数分に並列分岐してある。複数の室内機３夫々は、個々に室内熱交換器３１、室内ファン３４を備えている。並列分岐された各連絡配管には、複数の室内機３夫々に対応する膨張弁２５が、個々に設けられている。複数の室内機３夫々に対応するリモコン４、又は集中リモコン４によって、複数の室内機３夫々を個別に空調運転の開始及び終了が可能なように構成されている。
【００７２】
室内マルチ型の空調機１の複数の室内機３夫々は、個々の室内熱交換器３１の風上に配されたフィルタ３７及び清掃機構３８を備える。制御部５０は、複数の室内機３夫々に対し、個別に清掃機構３８の駆動制御を行うように構成されている。
【００７３】
併用清掃モードによる清掃を行うにあたり、制御部５０は、複数の室内機３毎に前回の清掃時刻及び累積時間を記憶部５１に記憶し、複数の室内機３毎に清掃機構３８の駆動制御を行う。
【００７４】
強制清掃モードによる清掃を行うにあたり、制御部５０は、複数の室内機３毎に運転時間の初期化を行い、連続して空調運転された運転時間の積算を行い、複数の室内機３毎に清掃機構３８の駆動制御を行う。
【００７５】
超強制清掃モードによる清掃を行うにあたり、制御部５０は、複数の室内機３毎に起動回数をカウント及び初期化を行う。室内機３毎に起動回数とは、室外機２が起動、すなわち圧縮機２１が駆動している状態であっても、特定の室内機３がオフ（停止）、すなわち膨張弁２５が全閉となっている場合は、当該特定の室内機３は停止中であるとカウントして導出される起動回数である。従って、空調機１全体としての起動回数ではなく、複数の室内機３毎の起動（空調運転の開始）及び停止（空調運転の終了）に係る回数をカウントした起動回数にて、これら複数の室内機３毎に個別に超強制清掃モードの制御を行うように、室内マルチ型の空調機１は構成されている。
【００７６】
記憶部５１に記憶してある制限時間帯は、複数の室内機３毎に個別に設定してある。複数の室内機３毎に個別に制限時間帯を設定することによって、各室内機３が載置された居室にいる操作者毎に応じて、清掃モードによる清掃の制限を設定することができる。制限時間帯は、複数の室内機３に対し共通の時間帯として設定してあってもよい。複数の室内機３に対し共通の制限時間帯を設定することによって、簡易な操作で複数の室内機３に対する制限時間帯の設定を同時に行うことができる。
【００７７】
室内マルチ型の空調機１の複数の室内機３夫々に対し、個別で各清掃モードによる清掃機構３８の駆動制御及び制限時間帯による制限を行うことにより、各室内機３が載置された居室にいる操作者毎に応じて、効率的な清掃機構３８の駆動制御を行うことができる。
【００７８】
（変形例２）
実施形態１では、室内機３と室外機２とからなるセパレート型空気調和機を用いて説明したがこれに限定されず、例えば、窓枠内に取り付けて使用する室内機と室外機とが一体となった窓取付型空気調和機、又は壁に埋め込んで使用する室内機と室外機とが一体となったウインドウ型空気調和機であってもよい。
【００７９】
（変形例３）
実施形態１では、フィルタ３７が移動するタイプの清掃機構３８（フィルタ清掃装置）を用いて説明したがこれに限定されず、例えばフィルタが移動せずに、ブラシ又はゴムなどから成るブレードがフィルタ上を移動することで、フィルタを清掃するタイプのフィルタ清掃装置であってもよい。この場合、ブラシ又はブレードによって、除去された塵埃は、清掃機用送風機にて吸込み、室外に放出してもよいし、ダストボックス内に吸い込むようにしてもよい。あるいは、ブラシを備えたダストボックスが移動するタイプのフィルタ清掃装置であってもよい。
【００８０】
本発明に係る空調機１は、吸い込み空気の塵埃を捕集するフィルタ３７と、該フィルタ３７が捕集した塵埃を除去する清掃機構３８と、該清掃機構３８の駆動を制御する制御部５０とを備えた空調機１において、前記制御部５０による前記清掃機構３８の駆動のモードは、前記清掃機構３８を前回駆動した時点から所定の累積時間に達した場合、空調運転の終了後に前記清掃機構３８の駆動を開始する併用清掃モードと、連続して行われた空調運転の運転時間が所定の連続運転時間に達した場合、空調運転を中断し前記清掃機構３８の駆動を開始する強制清掃モードとを含み、前記清掃機構３８の駆動を制限する所定の制限時間帯が設定してあり、前記制御部５０は、前記併用清掃モードの開始時刻が、前記制限時間帯に含まれる場合は、前記清掃機構３８の駆動を開始せず、前記強制清掃モードの開始時刻が、前記制限時間帯に含まれる場合であっても、前記清掃機構３８の駆動を開始することを特徴とする。
【００８１】
本発明によれば、併用清掃モードによる清掃機構３８の駆動は、所定の累積時間に達した場合、空調運転の終了後に開始されるところ、開始時刻が、所定の制限時間帯に含まれる場合は、清掃機構３８の駆動は開始されない。従って、切りタイマや運転スケジュールが設定され、空調運転が終了する時刻が、利用者が就寝中の制限時間帯となる場合であっても、停止後すぐには併用清掃モードによる清掃機構３８の駆動は、開始されないため、利用者に不快感を生じさせることを抑制することができる。また、連続して行われた空調運転の運転時間が、所定の連続運転時間に達した場合、強制清掃モードによる清掃機構３８の駆動を開始することによって、フィルタ３７の目詰まりにより空調機１の能力低下を防止することができる。
【００８２】
本発明に係る空調機１は、前記併用清掃モードの前記累積時間は、前記強制清掃モードの前記連続運転時間以上であるようにしてもよい。
【００８３】
本発明によれば、当該累積時間を当該連続運転時間以上とすることによって、強制清掃モードによって清掃機構３８の駆動、すなわち清掃が行われた後に、空調機１が停止した場合、併用清掃モードによって清掃機構３８の駆動が開始されることを回避することができる。従って、過度に併用清掃モードによる清掃機構３８の駆動が開始されることを抑制することができる。
【００８４】
本発明に係る空調機１は、前記制御部５０は、前記強制清掃モードの開始時刻が前記制限時間帯に含まれる場合は、前記制限時間帯の間は空調運転を継続し、前記制限時間帯が終了した後、空調運転を中断し前記清掃機構３８の駆動を開始するようにしてもよい。
【００８５】
本発明によれば、所定の制限時間帯が終了した後に、強制清掃モードによる清掃機構３８の駆動を開始することによって、当該制限時間帯の間に清掃機構３８の駆動が開始されることを回避し、利用者に不快感を生じされることを抑制しつつ、フィルタ３７の目詰まりを解消することができる。
【００８６】
本発明に係る空調機１は、前記制御部５０は、前記強制清掃モードによる前記清掃機構３８の駆動を行う場合、空調運転を中断して前記清掃機構３８の駆動を開始し、該清掃機構３８の駆動の終了後、中断時での空調運転の運転態様にて空調運転を再開するようにしてもよい。
【００８７】
本発明によれば、強制清掃モードによる清掃機構３８の駆動を行うため、空調運転を中断しても、清掃機構３８の駆動の終了、すなわちフィルタ３７の清掃が終了した後は、中断時の空調運転の運転態様にて、空調運転が再開されるため、操作者による空調機１の操作を簡便化することができる。
【００８８】
本発明に係る空調機１は、前記制御部５０による前記清掃機構３８の駆動のモードは、前記清掃機構３８を前回駆動した時点から自機の起動回数が所定回数に達した場合、前記清掃機構３８の駆動を開始する第２強制清掃モードを含み、前記制御部５０は、前記第２強制清掃モードの開始時刻が、前記制限時間帯に含まれる場合であっても、前記清掃機構３８の駆動を開始するようにしてもよい。
【００８９】
日々の空調機１の運転において、強制清掃モードが開始される連続運転時間に達することなく、起動及び停止が繰り返され、かつ併用清掃モードの開始時刻が制限時間帯に含まれる場合が連続すると、清掃機構３８の駆動が行われないものとなる。これに対し、本発明によれば、空調機１の起動回数が所定回数に達した場合、清掃機構３８の駆動を開始する超強制清掃モードを備えることによって、定期的にフィルタ３７の清掃を行うことができる。超強制清掃モードは、清掃機構３８の駆動の開始時刻が制限時間帯に含まれる場合であっても清掃機構３８の駆動を開始するようにしてあるので、確実にフィルタ３７の清掃を行うことができる。
【００９０】
本発明に係る空調機１は、室内機３に設けられ輝度の変更が可能な表示部３９を備え、前記制限時間帯は、前記表示部３９の輝度に応じて設定されるようにしてもよい。
【００９１】
本発明によれば、操作者によって、室内機３に設けられた表示部の輝度が変更された場合、制限時間帯は、当該表示部の輝度に応じて設定されるため、簡易な操作で制限時間帯を設定でき、また表示部の輝度に基づいて、操作者は、現在が制限時間帯に含まれていることを容易に認識することができる。
【００９２】
本発明に係る空調機１は、前記表示部３９が所定の輝度以下で表示又は消灯している時間帯を、前記制限時間帯とするようにしてもよい。
【００９３】
本発明によれば、表示部３９が所定の輝度以下で表示又は消灯している時間帯を、制限時間帯とすることで、操作者が就寝に備え表示部３９の輝度を下げた場合等による操作者の意図に適切に対応して、制限時間帯を設定することができる。
【００９４】
今回開示された実施形態はすべての点で例示であって、制限的なものではないと考えられるべきである。本発明の範囲は、上述した意味ではなく、請求の範囲によって示され、請求の範囲と均等の意味及び範囲内でのすべての変更が含まれることが意図される。
【符号の説明】
【００９５】
１  空調機
１０  冷媒配管
２  室外機
２１  圧縮機
２１１  吸入温度センサ
２１２  吐出温度センサ
２２  アキュムレータ
２３  四路切換弁
２４  室外熱交換器
２４１  外気温度センサ
２５  膨張弁
２６  室外ファン
２７  室外制御基板
３  室内機
３１  室内熱交換器
３１１  室内熱交換器温度センサ
３２  吸込空気温度センサ
３３  吸込空気湿度センサ
３４  室内ファン
３５  風向板
３６  室内制御基板
３７  フィルタ
３８  清掃機構
３８１  回転ブラシ
３８２  フィルタ移動部
３８３  集塵箱
３９  表示部
４  リモコン
４１  リモコン内基板
５０  制御部
５１  記憶部
５１Ｐ  プログラム 
【図１】
2019077769.tif 000003
【図２】
2019077769.tif 000004
【図３】
2019077769.tif 000005
【図４】
2019077769.tif 000006
【図５】
2019077769.tif 000007
【図６】
2019077769.tif 000008
【図７】
2019077769.tif 000009
【図８】
2019077769.tif 000010
【国際調査報告】
2019077769.tif 000011
2019077769.tif 000012
2019077769.tif 000013